(57)【要約】【課題】工事用機器の電源が確保され、かつブレーカが作動することなく、負荷側の電力の供給元が送電側から、工事用電源側へ切り替えられる技術の提供である。【解決手段】送電側からの配電線と負荷側の配電線を断状態又は接状態するための接続手段が設けられており、その送電側からの配電線に結合する第１のグリップ手段、負荷側の配電線に結合する第２のグリップ手段、及び第１のグリップ手段と第２のグリップ手段に配線され、接続手段が接状態において送電側の配電線と負荷側の配電線を結線するのに用いられ、操作指示があったときに断にする断路器とをのみ有するバイパス手段と、送電側の配電線に接続される第１の端子と工事用電源からの配電線に接続される第２の端子と負荷側の配電線に接続される第３の端子とを有し、第１の端子と前記第２の端子とを切り替えていずれかを前記第３の端子へ接続するための切替手段と、第３の端子に接続され工事用機器に工事用電源から電力を供給する変圧器と、を備えた。【選択図】    図１
2008187769.tif 000002
【特許請求の範囲】
【請求項１】
送電側からの配電線と負荷側の配電線を断状態又は接状態とするための接続手段が設けられている電力線で、その接続状態を断にして、前記送電側に代わって工事用電源から前記負荷側へ電力を仮供給する工事用仮電源供給装置において、
前記送電側からの配電線に結合する第１のグリップ手段、前記負荷側の配電線に結合する第２のグリップ手段、及び第１のグリップ手段と第２のグリップ手段に配線され、前記接続手段が接状態において前記送電側の配電線と前記負荷側の配電線を結線するのに用いられ、操作指示があったときに断にする断路器、のみを有するバイパス手段と、
前記送電側の配電線に接続される第１の端子と前記工事用電源からの配電線に接続される第２の端子と前記負荷側の配電線に接続される第３の端子とを有し、前記第１の端子と前記第２の端子とを切り替えていずれかを前記第３の端子へ接続するための切替手段と、
前記第３の端子に接続され工事用機器に前記工事用電源から電力を供給する変圧器と、
前記送電側の位相と前記工事用電源と位相がほぼ同相になったことを知らせる検相器と、を備え、
前記切替手段は、
工事前に、前記接続手段が前記断状態にされた後に前記第１の端子に前記第３の端子を接続し、次に前記断路器が断に設定された後に前記第１の端子に代えて前記第２の端子を前記第３の端子に接続されるように用いられることにより、前記送電側に代わって前記工事用電源から前記負荷側へ電力を仮供給可能にし、
工事後に、前記送電側の位相と前記工事用電源の位相とがほぼ同相になったときに、前記第２の端子に代えて前記第１の端子を前記第３の端子に接続するように用いられることにより、前記接続手段を前記接状態にされ、前記工事用電源に代わって前記送電側から前記負荷側へ電力を供給可能にされることを特徴とする工事用仮電源供給装置。
【請求項２】
前記第１のグリップ手段と第２のグリップ手段は、同一構造であって、いずれも、内部に前記配電線の幅方向から前記配電線を取り込むためのコ字形の開口部を有し、前記開口部の相対する２辺うち一方の辺に外側から貫通するねじ孔が設けられ、かつ前記開口部の反対側に前記断路器に接続するための配線が前記ねじ孔方向に対して所定角度の方向から固着された金属製の結合部と、一方に絶縁部材からなる柱状の把手部を有し、前記柱状の把手部から延伸する方向に設けられ、前記ねじ孔にねじ込まれることによって前記開口部内に取り込まれた前記配電線を先端で押圧する金属材料の圧着部と、前記把手部の前記延伸する方向とは反対側の端部に、前記把手部の最大径より大きい径の形状を有するグリップエンドとを備えたことを特徴とする請求項１に記載の工事用仮電源供給装置。
【発明の詳細な説明】
【技術分野】
【０００１】
本発明は、電力の送電ルートで工事を行う場合に、負荷側に代わりの電源を供給するための工事用仮電源供給装置に係り、特に、工事する際に使用される機器の電源を供給できる構成にし、また、工事用仮電源供給装置を機能させるためのツールを改善したものに関する。
【背景技術】
【０００２】
従来の構成を図４に示す。図４で、送電側の柱上トランス１に接続される配電線３と負荷側の配電線５の間に、接、断が可能な羽子板端子と呼ばれる接続手段２が設けられている。この接続手段２を図４に点線で示すように結合部２ａと結合部２ｂに分けることにより断にして、工事が行われる。そして、その工事期間に、工事用電源（車載）７からスイッチＳｂを介して、柱上トランス１に代わって負荷側へ電力を供給する。なお、図４で工事用電源７側は、工事用の車載側である。
【０００３】
その負荷側へ供給する電源の供給元を切り替えるとき、負荷側への電力を断にすることなく供給するために、最初に、ブレーカ付断路器２０を、それに配線で接続される２のグリップ手段２１で、柱上トランス１側の配電線３と負荷側の配電線５と用いて接続しておき、その後に、スイッチＳｄを接、接続手段２を断にし、次にブレーカ付断路器２０により断にする手順が採用されている。
【０００４】
このようにして、工事用電源７が、負荷側へ供給されているときに工事が行われるが、工事には、電灯や動力等の工事用機器（ツール）を動作させる必要があった。別電源で行うこともあったが不便であった。そこで、図４の点線で示すように配電線３，５の電圧（例えば、２００Ｖ）を一般用の電圧（例えば、１００Ｖ）に変換するトランス９ａを接続して、ツールが使用できるように構成すると、車載側への配線がされた段階で、トランス９ａへの突入電流が発生し、ブレーカ付断路器２０のブレーカが働いてしまい、負荷への電力供給が一時的に切れてしまうことがあった。その突入電流は、大きな値であり、それに耐えるブレーカは、大きな物になり、実用的ではなかった。なお、負荷側とスイッチＳｂとの間にトランス９ａを接続しようとしたのは、ツール用の電源も送電側と工事用電源の切替時に連続して使用できることが望ましいためである。つまり、電源の切り替えがあっても、負荷側とツール側の双方に連続して電力を供給することが望ましい。
【０００５】
一方、グリップ手段２１は、ブレーカ付断路器２０とを結ぶ配線を取り付けられたグリップ本体の開口部に配電線３、５を取り込み、ねじで固定する構造であるが、そのねじの後部が把手部を兼ねており、その把手部を回してねじを廻していた。把手部は、重量のある配線及びグリップ本体を前記配電線まで持っていくのにも使用されるため、力を入れて握りやすいような径にされていたので、ねじを廻して固定するには、相当の力が必要であった。
【発明の開示】
【発明が解決しようとする課題】
【０００６】
本発明の目的は、上記の欠点を無くすために、工事用機器の電源が確保され、かつブレーカが作動することなく、負荷側の電力の供給元が送電側から、工事用電源側へ切り替えられる工事用仮電源供給装置の提供である。さらに、グリップ手段を効率良く且つ確実に配電線へ固着できる技術の提供である。
【課題を解決するための手段】
【０００７】
上記目的を達成するために、請求項１に記載の発明は、送電側からの配電線と負荷側の配電線を断状態又は接状態とするための接続手段が設けられている電力線で、その接続状態を断にして、前記送電側に代わって工事用電源から前記負荷側へ電力を仮供給する工事用仮電源供給装置において、前記送電側からの配電線に結合する第１のグリップ手段、前記負荷側の配電線に結合する第２のグリップ手段、及び第１のグリップ手段と第２のグリップ手段に配線され、前記接続手段が接状態において前記送電側の配電線と前記負荷側の配電線を結線するのに用いられ、操作指示があったときに断にする断路器、のみを有するバイパス手段と、前記送電側の配電線に接続される第１の端子と前記工事用電源からの配電線に接続される第２の端子と前記負荷側の配電線に接続される第３の端子とを有し、前記第１の端子と前記第２の端子とを切り替えていずれかを前記第３の端子へ接続するための切替手段と、前記第３の端子に接続され工事用機器に前記工事用電源から電力を供給する変圧器と、前記送電側の位相と前記工事用電源の位相とがほぼ同相になったことを知らせる検相器と、を備え、前記切替手段は、工事前に、前記接続手段が前記断状態にされた後に前記第１の端子に前記第３の端子を接続し、次に前記断路器が断に設定された後に前記第１の端子に代えて前記第２の端子を前記第３の端子に接続されるように用いられることにより、前記送電側に代わって前記工事用電源から前記負荷側へ電力を仮供給可能にし、工事後に、前記送電側の位相と前記工事用電源と位相がほぼ同相になったときに、前記第２の端子に代えて前記第１の端子を前記第３の端子に接続するように用いられることにより、前記接続手段を前記接状態にされ、前記工事用電源に代わって前記送電側から前記負荷側へ電力を供給可能にされる構成とした。
【０００８】
請求項２に記載の発明は、請求項１に記載の発明において、前記第１のグリップ手段と第２のグリップ手段は、同一構造であって、いずれも、内部に前記配電線の幅方向から前記配電線を取り込むためのコ字形の開口部を有し、前記開口部の相対する２辺うち一方の辺に外側から貫通するねじ孔が設けられ、かつ前記開口部の反対側に前記断路器に接続するための配線が前記ねじ孔方向に対して所定角度の方向から固着された金属製の結合部と、一方に絶縁部材からなる柱状の把手部を有し、前記柱状の把手部から延伸する方向に設けられ、前記ねじ孔にねじ込まれることによって前記開口部内に取り込まれた前記配電線を先端で押圧する金属材料の圧着部と、前記把手部の前記延伸する方向とは反対側の端部に、前記把手部の最大径より大きい径の形状を有するグリップエンドとを備えた。
【発明の効果】
【０００９】
請求項１に記載の発明によれば、ブレーカ付でない断路器で構成できるので、ツール用電源が確保され、かつ、負荷側へ、及び工事用機器が接続される変圧器への電力の供給元が、送電側から、工事用電源側へ電源が断にされることなく連続して切り替えられる。
【００１０】
請求項２に記載の発明によれば、グリップエンドを設けたことから、把手部を握りやすい構造のまま、ねじで締め付ける効率を上げ、且つ確実に配電線へ固着できる。
【発明を実施するための最良の形態】
【００１１】
本発明の実施形態を、図を基に説明する。図１は、本発明の実施形態の機能構成を示す図である。図２は、実施形態の動作を説明するための図で、主に、実施形態の主要要素の作動状態を示す図である。図３は、実施形態におけるグリップ手段の構造を示す図である。
【００１２】
図１で、図４の符号と同一の手段は、同一の機能を有する。
図１で、断路器４は、柱上トランス１の送電側からの配電線３に結合する第１のグリップ手段６と、負荷側の配電線５に結合する第２のグリップ手段６のそれぞれに接続される配線４ａで結ばれており、このバイパス経路は、当初は断路器４を接状態にして結線しておいて、操作指示されることにより、断状態に切り替える。そして、従来のようなブレーカ機能を有していないものである。断路器４は、２つのグリップ手段６及び配線によりバイパス手段を構成している。また、バイパス手段は、バイパス機能以外の機能を有しない。なお、断路器４そのものは一般的なものであり、詳細を省略する。
【００１３】
スイッチＳｃ（第１の端子相当）は送電側の配電線３から電力を車載側の切替手段８へ取り込み、スイッチＳｄ（第３の端子相当）は供給側の配電線５へ車載側の切替手段８から負荷側へ電力を供給するためのスイッチであり、いずれも、配電線３，５の近くへ設けられている。スイッチＳｂ（第２の端子相当）は工事用電源７からの電力を切替手段８へ取り込むためのものである。スイッチＳａは、もう一つの、接続手段２をバイパスする経路を構成するためのもので、後記するように、連続的に送電側から工事用電源７を切り替えて、負荷側へ電力を供給するために用いられる。
【００１４】
コンセント１０ａ及びコンセント１０ｂは、電灯、或いはモータ等の工事用機器（ツール）用（例えば、１００Ｖ）の電源供給に用いられる。トランス９ａ及びトランス９ｂ（いずれも変圧器）は、スイッチＳｂ、スイッチＳａ、及びスイッチＳｄを結ぶ配線に接続され、その電圧（例えば、２００Ｖ）を電圧（例えば、１００Ｖ）に変換して、それぞれ対応するコンセント１０ａ、コンセント１０ｂに供給する。なお、上記のスイッチＳｂ、スイッチＳａ、及びスイッチＳｄを結ぶ配線は、後記するように各スイッチで切り替えられることにより、送電側の電力と工事用電源７がパスするときに共有する回路である。
【００１５】
検相器１１は、送電側の電力の位相と工事用電源７の位相との位相差を検出して、ほぼ位相差が無くなったときに、ほぼ同相になったことをランプ、又は音等で作業者へ知らせる。これは、工事中に断にされていた接続手段２の結合部２ａと結合部２ｂを、作業者が検相器１１を見て、同相のときに接続するために用いられる。こうすることにより、負荷側の位相が、供給元を工事用電源７から送電側に切り替えられても、位相連続の電力供給を受けられる。検相器１１は、図１では、接続手段２の両端に接続されているが、工事終了時に送電側の電力の位相と工事用電源７の位相とを検知できれば、この位置に限られるものではない。
【００１６】
以上の構成によって、切替手段８は、次のように動作する。各スイッチＳａ，Ｓｂ、Ｓｃ、Ｓｄ、接続手段２，断路器４，検相器１１の各状態を動作手順毎に、図２に示す。
【００１７】
先ず切替の準備として、断路器４及びグリップ手段６により接続手段２をバイパスする経路を構成する（順序１）。このとき、各スイッチＳａ，Ｓｂ、Ｓｃ、Ｓｄは断状態で、接続手段２，断路器４は、いずれも接状態である。
【００１８】
次に電源供給元の切替作業に入る。先ず、接続手段２を断状態にする（順序２）。スイッチＳａ、Ｓｂ、Ｓｃ、Ｓｄは断状態を維持する。
【００１９】
次に、スイッチＳｃ、Ｓｄを接状態にする（順序３）。他の、各スイッチＳａ、Ｓｂ、接続手段２、断路器４の各状態は、順序２の状態を維持している。次に、スイッチＳａを接状態にする（順序４）。次に、順序４の状態で、断路器４を断にする（順序５）。次に、順序５の状態で、スイッチＳｂを接状態にする（順序６）。次に、順序６の状態で、スイッチＳａを断状態にする（順序７）。
【００２０】
ここまでの作動で、負荷側及びトランス９ａ、９ｂは、いずれも、電源供給が切れることなく連続して、送電側から工事用電源７へ切り替えられ、工事が終了するまで維持される（順序８）。
【００２１】
工事終了後、作業者は、検相器１１を観察し、ほぼ同相になったことをランプで確認できたら（順序９）、順序７の状態から、スイッチＳａを接状態にする（順序１０）。次に、順序１０の状態から、スイッチＳｂを断状態にし（順序１１）、その後、断路器４を接状態にする（順序１２）。次に、順序１２の状態から、スイッチＳａ、Ｓｃ、Ｓｄを断状態にする（順序１３）。次に、順序１３の状態から、接続手段２を接状態にする（順序１４）。これで、負荷側は、柱状トランス１から電力供給を受けられる状態になる（順序１５）。
【００２２】
「グリップ手段の構成」
図３にグリップ手段６の構造を示す。グリップ本体６ａは金属製であって、配電線３又は５を取り込むためにコ字形状の開口部６ｂを有し、その開口部６ｂの背に配線４ａが内部に取り込まれる形で取り付けられ導通が図られている。その開口部６ｂで相対する２辺の一方の辺（図３の開口部６ｂの左側の辺）に、グリップ本体６ａを配線４ａと所定角度を成す方向から貫通してねじ孔が設けられている。ねじ孔に把手部６ｃに延伸して設けられたねじ溝を有する圧着部６ｄがねじ部６ｅにねじ込まれる形で挿入されている。把手部６ｃを廻すことにより、圧着部６ｄの先端が、開口部６ｂに取り込まれた配電線３又は５を圧着して固定し、或いは、離脱させて緩めることができる。
【００２３】
把手部６ｃの後端、つまり、圧着部６ｄに相対する位置に、最大径が把手部６ｃの径より大きい径のグリップエンド６ｆが設けられている。その径の差は２倍ほどある。圧着部６ｄを回転させるには、このグリップエンド６ｆを廻す方が、回転トルクが強くなり、効率が良くなる、また、圧着の程度も確実になる。なお、把手部６ｃは、絶縁部材で構成され、主に、グリップ本体６ａ及び配線４ａ等の重量のあるものを手でもって、開口部６ｂに配電線３又は５を取り込むのに、握りやすい径にされているが、回転トルクは得にくい。また、配線４ａと把手部６ｃが図３の左右方向ではほぼ同方向であるが、図３のように把手部６ｃの後の方が配線４ａから下方へ離れる方向であるため、把手部６ｃの後端にグリップエンド６ｆを設ける構造とした。グリップエンド６ｆは、円形でも良いが、できるなら滑り止めになる程度の角形、例えば、６角形が好ましい。
【図面の簡単な説明】
【００２４】
【図１】本発明の実施形態の機能構成を示す図である。
【図２】実施形態の動作を説明するための図で、主に、実施形態の主要要素の作動状態を示す図である。
【図３】実施形態におけるグリップ手段の構造を示す図である。
【図４】従来技術を説明するための図である。
【符号の説明】
【００２５】
１  柱上トランス（送電側）、  ２  接続手段、２ａ  結合部、２ｂ  結合部、
３  配電線、４  断路器、  ４ａ  配線、５  配電線、
６  グリップ手段、６ａ  グリップ本体、  ６ｂ  開口部、  ６ｃ  把手部、
６ｄ  圧着部、６ｅ  ねじ部、６ｆ  グリップエンド、  ７  工事用電源、
８  切替手段、９ａ，９ｂ  トランス、  １０ａ，１０ｂ  コンセント、１１  検相器、
２０  ブレーカ付断路器、２１  グリップ手段
【図１】
2008187769.tif 000003
【図２】
2008187769.tif 000004
【図３】
2008187769.tif 000005
【図４】
2008187769.tif 000006